(57)【要約】 【課題】  ハンドル掛け金装置の不正解除を防止すること。【解決手段】  ハンドル掛け金装置の不正解除を防止するために、取付け本体３に固定される取付け板４０にフックレバーをロックするロック片５５並びに該ロック片と横軸４９を介して一体的に設けられ、かつ、作動杆４７の伸縮動に対応して所定量回動する係合作動片４８を備えた自動式錠手段４５を装着し、また取付け板４０に、施錠時に取付け本体３又は／及びフックレバー１６を叩き付けた時の衝撃によって前記係合作動片４８に回転係合する跳ね上がり係止片６０を備えた不正解錠防止機構Ｙを装着したことを特徴とする扉開閉用ハンドル掛け金装置。【選択図】  図１２
2005068896.tif 000002
【特許請求の範囲】
【請求項１】
ハンドルクリック機構のスプリングのバネ力が作用するように取付け本体に枢軸を介して起立乃至傾倒自在に設けられたフックレバーを備えた扉開閉用ハンドル掛け金装置に於いて、ハンドル掛け金装置の不正解除を防止するために、前記取付け本体３に固定される取付け板４０にフックレバーをロックするロック片５５並びに該ロック片と横軸４９を介して一体的に設けられ、かつ、作動杆４７の伸縮動に対応して所定量回動する係合作動片４８を備えた自動式錠手段４５を装着し、また取付け板４０に、施錠時に取付け本体３又は／及びフックレバー１６を叩き付けた時の衝撃によって前記係合作動片４８に回転係合する跳ね上がり係止片６０を備えた不正解錠防止機構Ｙを装着したことを特徴とする扉開閉用ハンドル掛け金装置。
【請求項２】
請求項１に於いて、不正解錠防止機構は、取付け板４０の固定軸６１に軸支された跳ね上がり係止片６０と、この跳ね上がり係止片６０を所定の係合解除の位置に支持することができるように前記固定軸或いは取付け板に設けられた支持バネ６２と、この支持バネの支持端部６２ａが当接する取付け板４０の支持片４２とから成ることを特徴とする扉開閉用ハンドル掛け金装置。
【請求項３】
請求項１又は請求項２に於いて、跳ね上がり係止片６０の固定軸６１に軸支された一端部側には、係合作動片４８と係脱するフック状係合部６０ａが形成され、一方、他端部側には、錘６３が設けられていることを特徴とする扉開閉用ハンドル掛け金装置。
【請求項４】
請求項１に於いて、自動式錠手段４５は、取付け板４０の外面側に固定された駆動源４６と、この駆動源の駆動力により作動する作動杆４７の伸縮動に対応して所定量回動する係合作動片４８と、この係合作動片４８と横軸４９を介して一体的に設けられ、かつ、取付け板４０の内面側に位置すると共にフックレバー１６と係脱するロック片５５とから成ることを特徴とする扉開閉用ハンドル掛け金装置。
【請求項５】
ハンドルクリック機構のスプリングのバネ力が作用するように取付け本体に枢軸を介して起立乃至傾倒自在に設けられたフックレバーを備えた扉開閉用ハンドル掛け金装置に於いて、ハンドル掛け金装置の不正解除を防止するために、前記取付け本体３に固定される取付け板４０にフックレバー１６と係脱するロック片５５を備えた自動式錠手段４５を装着し、また取付け板４０に、施錠時に取付け本体３又は／及びフックレバー１６を叩き付けた時の衝撃によって前記自動式錠手段４５の係合作動片４８が解錠方向へと移動しないように前記ロック片の小被係合部と係合する小係合部を前記フックレバーに設けたことを特徴とする扉開閉用ハンドル掛け金装置。
【請求項６】
請求項５に於いて、自動式錠手段４５は、ロック片５５と横軸４９を介して一体的に設けられ、かつ、作動杆４７の伸縮動に対応して所定量回動する係合作動片４８を備え、また取付け板４０に、ハンドル掛け金装置を叩き付けた際に衝撃によって前記係合作動片４８に係合する跳ね上がり係止片６０を備えた不正解錠防止機構Ｙを装着したことを特徴とする扉開閉用ハンドル掛け金装置。
【発明の詳細な説明】
【技術分野】
【０００１】
本発明は、扉開閉用ハンドル掛け金装置に関し、特にハンドル掛け金装置の不正解除を防止するための手段或いは機構を備えた扉開閉用ハンドル掛け金装置に関する。
【背景技術】
【０００２】
扉開閉用ハンドル掛け金装置の基本的な構成は、特許文献１に記載されている。この特許文献１には、「開閉体の外壁面に添設状態に固定され、かつ、ハンドルクリック機構と、このハンドルクリック機構のスプリングのバネ力が作用するように取付け本体に枢軸を介して起立乃至傾倒自在に設けられたフックレバーとを備えた扉開閉用ハンドル掛け金装置」が記載されている。
【０００３】
この基本的な構成を備えた扉開閉用ハンドル掛け金装置には、一般的にソレノイドを駆動源とする自動式錠手段と、合鍵によって解錠できる手動式錠手段とがそれぞれ設けられている。
【０００４】
しかして、泥棒が自動式錠手段を備えている扉開閉用ハンドル掛け金装置の本体やフックレバーを上部から叩き付けた際に、その衝撃によってフックレバーと係脱する自動式錠手段のロック片がロック（施錠）状態を解消する（解錠状態になる）という問題点があった。例えば泥棒がハンドル掛け金装置のフックレバーの上端部をハンマーなどで叩き付けると、その衝撃でソレノイドの鉄心が上方に跳ね上がり、作動杆が解錠方向（例えば収縮方向）に移動し、その結果、ロック片がフックレバーから離れ、フックレバーを傾倒することができるという問題点があった。
【特許文献１】特公平７−６５４２０号公報
【特許文献２】特公平７−６５４２１号公報
【特許文献３】特開２００２−２２７４９４号公報
【発明の開示】
【発明が解決しようとする課題】
【０００５】
本発明の第１の目的は、泥棒が自動式錠手段を備えているハンドル掛け金装置をハンマーなどで叩き付けても、自動式錠手段のフックレバーと係脱するロック片が容易に解錠状態にならない扉開閉用ハンドル掛け金装置を提供することである（第１実施例及び第２実施例）。また第２の目的は、扉開閉用ハンドル掛け金装置をハンマーなどで叩き付けた場合に、その衝撃により不正解錠防止機構の跳ね上がり係止片が瞬時に自動式錠手段の係合作動片に係合することである（第１実施例）。また第３の目的は、安価に前記第１の目的を達成することができることである（第２実施例）。
【課題を解決するための手段】
【０００６】
発明の扉開閉用ハンドル掛け金装置は、ハンドルクリック機構のスプリングのバネ力が作用するように取付け本体に枢軸を介して起立乃至傾倒自在に設けられたフックレバーを備えた扉開閉用ハンドル掛け金装置に於いて、ハンドル掛け金装置の不正解除を防止するために、前記取付け本体３に固定される取付け板４０にフックレバーをロックするロック片５５並びに該ロック片と横軸４９を介して一体的に設けられ、かつ、作動杆４７の伸縮動に対応して所定量回動する係合作動片４８を備えた自動式錠手段４５を装着し、また取付け板４０に、施錠時に取付け本体３又は／及びフックレバー１６を叩き付けた時の衝撃によって前記係合作動片４８に回転係合する跳ね上がり係止片６０を備えた不正解錠防止機構Ｙを装着したことを特徴とする。
【０００７】
また、本発明の扉開閉用ハンドル掛け金装置は、ハンドルクリック機構のスプリングのバネ力が作用するように取付け本体に枢軸を介して起立乃至傾倒自在に設けられたフックレバーを備えた扉開閉用ハンドル掛け金装置に於いて、ハンドル掛け金装置の不正解除を防止するために、前記取付け本体３に固定される取付け板４０にフックレバー１６と係脱するロック片５５を備えた自動式錠手段４５を装着し、また取付け板４０に、施錠時に取付け本体３又は／及びフックレバー１６を叩き付けた時の衝撃によって前記自動式錠手段４５の係合作動片４８が解錠方向へと移動しないように前記ロック片の小被係合部と係合する小係合部を前記フックレバーに設けたことを特徴とする。
【発明の効果】
【０００８】
（１）請求項１又は請求項５に記載の発明は、棒が自動式錠手段を備えているハンドル掛け金装置をハンマーなどで叩き付けても、自動式錠手段のフックレバーと係脱するロック片が容易に解錠状態にならない。したがって、泥棒は、フックレバーを傾倒して操作ハンドルを該フックレバーから外すことが困難である。
【０００９】
（２）請求項１に記載の発明は、扉開閉用ハンドル掛け金装置をハンマーなどで叩き付けた場合に、その衝撃により不正解錠防止機構の跳ね上がり係止片が瞬時に自動式錠手段の係合作動片に係合する。特に請求項２に記載の発明は、跳ね上がり係止片がバネ部材に支持されているので、衝撃時にバネ部材の反発力が作用し、係止方向への跳ね上がりがスムースになる。
【００１０】
（３）請求項５に記載の発明は、構成部品を加味しないので、安価に前記第１の目的を達成することができる（第２実施例）。
【発明を実施するための最良の形態】
【００１１】
以下、図面に示す本発明を実施するための最良の形態により、本発明を詳細に説明する。図１乃至１２図は、本発明の第１実施例を示す各説明図である。
１は車輌の扉、倉庫の扉など開閉扉である。車輌の一例として観音扉を備えた宅配便を挙げることができる。扉は観音扉如何を問わない。
２は長杆状の操作ハンドルで、この操作ハンドルは、一端部が一方の扉の外壁面、倉庫の支柱等に枢支され、他端部が他方の扉（開閉扉）１の外壁面に固定された扉開閉用ハンドル掛け金装置Ｘに掛止めされる。
【００１２】
ハンドル掛け金装置Ｘは、バー状操作ハンドル２の自由端部を受け止めるために開閉扉１の適宜箇所に取付け板を介して、又は介さないで固定される。本実施例では、自動式錠手段４５及び不正解錠防止機構Ｙを備えた取付け板４０を介して開閉扉１に固定される。まず、ハンドル掛け金装置Ｘの構成を区分けして説明し、次に不正解錠防止機構Ｙについて説明する。なお、本発明の特定要件に関係のない事項や細部的事項については、詳細な説明を極力割愛する。
【００１３】
（１）取付け本体
縦長状の取付け本体３は、開閉扉１の外壁面に固着手段を介して垂直状態に添設される。そのためにやや肉厚の取付けベース部４の適宜箇所（例えば上端部側）に固着具用のネジ孔５．５が複数個形成されている。
【００１４】
図１で示すように、取付けベース部４の下端面は水平状であり、一方、上端面は弧状に形成されている。また、取付けベース部４の中央部（下端部寄りの部位も含む）には、後述するフックレバー１６が枢軸１５を介して前後に揺動することができるように開口部６が形成されている。この開口部６は、図４及び図５で示すように取付けベース部４の中央部寄りの部位から下端部にかけて隆起状に形成されたケース状支持部或いは隆起支持部７に対して形成されている。
【００１５】
隆起支持部７の中央部には、図１で示すように操作ハンドル２用のＵ字状切欠部８が形成され、該切欠部８は幅広の前記開口部６と連通している。開口部６は切欠部８よりも幅広であり、隆起支持部７まで奥深く形成されているため、本実施例ではハンドルクリック機構２６用の収納部９となっている。
【００１６】
隆起支持部７の上端部には、Ｕ字状切欠部８の一部を形成する左右１対の指先状係止部１０．１０が突出形成されている。
【００１７】
（２）手動式錠手段
手動式錠手段１１は、図１で示すように取付け本体３の下端部に設けられている。この手動式錠手段１１は、図５で示すように、シリンダ錠１２と、該シリンダ錠用の合鍵１３とから成り、前記シリンダ錠１２には外筒体の後端部から突出する任意形状の駆動片１４が設けられている。駆動片１４は、その中間部が適宜に折り曲げされ、また他端部は取付け板４０に形成した開口４１を介して後述する自動式錠手段４５の係合作動片４８に対して押し込み可能に臨んでいる（図７参照）。
【００１８】
（３）枢軸＝水平軸
棒状枢軸１５は水平軸であり、取付け本体３の中央部にフックレバー１６を介して横設軸架される。枢軸１５は、本実施例では、前述した収納部９の内壁面の左右１対の切欠状軸受け部１７．１７に嵌脱する。すなわち、枢軸１５の両端部は切欠状軸受け部１７．１７に嵌め込まれ、後述する支持板３１に支持される。したがって、支持板３１を取り外すと、フックレバー１６を取付け本体３から簡単に取り外すことができる。
【００１９】
（４）フックレバー
フックレバー１６は指先状の上端部を除き、その余の部分が隆起支持部７のＵ字状切欠部８内に位置するように遊嵌合する。そして、フックレバー１６は、その中央部の水平軸孔２４を貫通する枢軸１５を支点に所定角度の範囲内で前後方向に回動する。
【００２０】
換言すれば、フックレバー１６は、中央部（中央部寄りの部位も含む）が水平軸１５を介して隆起支持部７に軸支され、水平軸１５を支点にして起立乃至傾倒自在に回動する。
【００２１】
しかして、フックレバー１６は、その正面視に於いて、指状の形態をしており、外壁面の下端部には指を押し当てるための浅い凹所１８が形成されている。また枢軸１５を基準にしてフックレバー１６の内壁面の上部側には、端面或いは断面横向き凹所状の操作ハンドル２用受け入れ部１９が形成されている。
【００２２】
フックレバー１６の上端部側は、図５で示すように、親指を折り曲げたような格好をしている。一方、フックレバー１６の下端部側にはブロック形状の支持部２０が設けられている。支持部２０はハンドルクリック機構２６を構成する上部支持球２７を支持する受け孔２１を有している。
【００２３】
２２は受け入れ部１９の一部を構成する指先状の当接部で、この当接部２２はフックレバー１６を閉じた時に取付けベース部４の上壁面に「ポン」と衝突する。また２３も受け入れ部１９の一部を構成する突起部で、この突起部２３の内壁底面は、フックレバー１６を閉じた時に前述した左右１対の係止部１０．１０の内壁底面と略同一平面（面一）となる。２４は中央部の水平軸孔で、この水平軸孔２４には前述したように棒状枢軸１５が貫入される（図５参照）。
【００２４】
（５）ハンドルクリック機構
図４乃至図６を参照にしてハンドルクリック機構２６を説明する。２７はフックレバー１６の支持部２０の受け孔２１に支持された上部支持球、２８は支持板３１の受け孔３３に支持された下部支持球、２９は上端部が前記上部支持球２７の球面状突出部分に、一方、下端部が前記下部支持球２８の球面状突出部分に支持されたバネ部材としてのスプリング、３０はスプリングが左右に振れないように該スプリングを内装し、かつ、前記フックレバー１６の支持部２０の下端面２０ａと支持板３１の受け孔３３を有する下壁部３２との間に揺動自在に介在するバネ保持筒である。
【００２５】
バネ保持筒３０の上下の端縁部は、本実施例では上部支持球２７又は／及び下部支持球２８の球面状突出部分に摺動可能であると共に、フックレバー１６の回動に対応して支持部２０の下端面２０ａと支持板３１の下壁部３２の上面３２ａに交互に当接可能である。
【００２６】
（６）ハンドルクリック機構の作用
ハンドルクリック機構２６を構成するスプリング２９は保持筒３０に保持されているから、スプリング２９の本来的な使用（スプリングの長さ方向にのみ伸縮し、左右に振れないこと）が可能になる。
【００２７】
（７）支持板
主に図５、図６を参照にして支持板３１について説明する。支持板３１は取付け本体３の収納部９に複数個の固着具３８．３８を介して適宜に固定される。前述したように、３２は受け孔３３を有する下壁部である。受け孔３３はやや傾斜状の中央部に形成されている。下壁部３２の端縁部は下方に折り曲げ形成され、収納部９の内壁底面に当接している。
【００２８】
３４は下壁部３２に交差状に連設する左右１対のストッパ部である。これらのストッパ部３４．３４の上端部には、固着具３８用の取付け孔３５．３５が形成されている。本実施例の支持板３１のストッパ部３４．３４は、前述したように枢軸１５の両端部を抑えるストッパ機能と、フックレバー１６が完全傾倒した時に該フックレバー１６の下端部を受け止めるストッパ機能の両方がある。
【００２９】
（８）取付け板
取付け板４０は、取付け本体３の裏側に図示しない固着具を介して固定される。取付け板４０は複数個の取付け孔、開口などを有するが、細部的事項については説明を割愛する。ここでは、図４を基準にして取付け本体３に対向する側を取付け板４０の内面４０ａとして、一方、開閉扉側に対向する側を取付け板４０の外面４０ｂとする。
【００３０】
しかして、取付け板４０を取付け本体３に取付けた場合に於いて、取付け板４０の外面４０ｂには、図７で示すように、自動式錠手段４５を構成する駆動源としてのソレノイド４６、その作動杆４７、作動杆に連結された係合作動片４８、並びに施錠時に於いて、取付け本体３又は／及びフックレバー１６を叩き付けた時の衝撃によって係合作動片４８に係合する跳ね上がり係止片６０を備えた不正解錠防止機構Ｙが見える。
【００３１】
一方、取付け板４０の内面４０ａには、図８で示すように、フックレバー１６をロックするロック片５５が見える。ロック片５５はフックレバー１６の支持部２０と係脱可能である。なお、取付け板４０の下部には、手動式錠手段１１の駆動片１４を通すための開口４１が形成されている。
【００３２】
（９）自動式錠手段
自動式錠手段４５は、本実施例では取付け板４０の内面４０ａ及び外面４０ｂの両面に装着される。しかして、自動式錠手段４５は、取付け本体３の外面（表面）４０ｂ側に固定された駆動源４６と、この駆動源４６の駆動力により作動する作動杆４７と、この作動杆４７の伸縮動に対応して所定量回動する係合作動片４８と、この係合作動片４８と横軸４９を介して一体的に設けられ、かつ、取付け本体３の内面（裏面）４０ａ側に位置すると共にフックレバー１６と係脱するロック片５５とから成る。
【００３３】
前記駆動源４６はソレノイドを採用し、該ソレノイド４６は取付け板４０の略中央部に縦方向に配設されている。ソレノイド４６の垂直作動杆４７は、ソレノイド４６がＯＦＦ（施錠状態）の時は、下方方向へ伸長し、これに対してソレノイド４６がＯＮ（解錠状態）の時は、上方方向へと収縮する。また前記横軸４９は取付け板４０に回動自在に設けられていると共に、係合作動片４８の一端部は、横軸４９の突出外端部に固着具５０を介して一体的に設けられている。
【００３４】
係合作動片４８は、その突起状中間部が作動杆４７の突出端部に適宜枢支されていると共に、その他端部には鉤状の係合部５１が形成されている。さらに、係合作動片４８の側壁部５２は、図９及び図１０で示すように、横軸４９に巻装されたソレノイド用のバネ部材５３の一端部を受けるバネ受け機能と、取付け板４０に形成したストッパ５４に当接するストッパ当接機能とを有する。
【００３５】
ところで、ソレノイド用バネ部材５３に関し、その一端部は係合作動片４８の側壁部５２の内壁面に圧接するが、その他端部はソレノイド４６の下端面に圧接する。このバネ部材５３は、本実施例では、ソレノイド４６がＯＦＦ状態の時に作動杆４７が伸長するように下方方向（施錠方向）へと付勢する。また前述したストッパ５４は、係合作動片４８の側壁部５２の外壁面と当接することができるように取付け板４０の開口４１付近に突設され、係合作動片４８が横軸４９と共に施錠方向へ所定量回動した際に該係合作動片４８を所定位置に止める。
【００３６】
一方、ロック片５５に関して説明すると、ロック片５５は横軸４９の突出内端部に固着具５６を介してロック片５５と同様に該横軸４９に一体的に取付けられている。したがって、ロック片５５、横軸４９及び係合作動片４８は、駆動源４６の作動杆４７が伸長又は収縮すると、一緒に回動する。
【００３７】
しかして、本実施例のロック片５５は、ソレノイド４６がＯＦＦ状態の時は、フックレバー１６の回転軌跡上（例えばフックレバー１６の下端部内面と対面関係）にあり、フックレバー１６が傾倒しないようにロックする。
【００３８】
これに対し、ソレノイド４６がＯＮ状態の時は、作動杆４７が収縮するので、係合作動片４８及びロック片５５は、解錠方向へと回転し、その結果、ロック片５５はフックレバー１６の回転軌跡上から外れ、フックレバー１６を倒すことが可能となる。
その他の構成について説明すると、前述した横軸４９の中央部には、取付け板４０の内面４０ａと摺接する周鍔５７が設けられ、さらに、該周鍔５７をカバーする軸受板５８が取付け板４０の内面４０ａに固定的に添設されている。
【００３９】
（１０）不正解錠防止機構
前述したように取付け板４０の外面４０ｂには、自動式錠手段４５の係合作動片４８に関係付けられた不正解錠防止機構Ｙが設けられている。この不正解錠防止機構Ｙは、施錠時に取付け本体３又は／及びフックレバー１６の上部を叩き付けた時の衝撃によって係合作動片４８に係合する跳ね上がり係止片６０を備えている。
【００４０】
しかして、本実施例の不正解錠防止機構Ｙは、取付け板４０の固定軸６１に軸支された跳ね上がり係止片６０と、この跳ね上がり係止片６０を所定の係合解除の位置に支持することができるように固定軸６１に設けられた支持バネ６２と、この支持バネ６２の支持端部６２ａが当接する取付け板４０の支持片４２とから成る。
【００４１】
支持バネ６２の支持端部６２ａは、前記支持片４２に当接した状態で係合解除の位置にある跳ね上がり係止片６０の一端部側を支持している。
【００４２】
換言すれば、跳ね上がり係止片６０の一端部の下面は、反発力を有する支持バネ６２の傾斜状支持端部６２ａに乗っかっているので、支持バネ６２の支持端部６２ａは、扉開閉用ハンドル掛け金装置の上部をハンマーなどで叩き付けた場合に、その衝撃と共に支持バネ６２の反発力（復帰力）により、跳ね上がり係止片６０を係合方向へと助長回転させる踏み台的機能を果たす。
【００４３】
ところで、跳ね上がり係止片６０の固定軸６１に軸支された一端部側には、係合作動片４８と係脱するフック状係合部６０ａが形成され、一方、他端部側には、図４で示すように錘６３が設けられている。該錘６３は跳ね上がり係止片６０の他端部（自由端部）に設けられているから、衝撃時、支持バネ６２の支持端部６２ａの弾性変位を促し、跳ね上がり係止片６０の跳ね上がりを「はずませる」補助機能を有する。
【００４４】
（１１）不正解錠防止機構の作用
図７、図１１及び図１２を参照にして不正解錠防止機構の作用について説明する。図７はハンドル掛け金装置の施錠時の状態を示す。この場合には、駆動源４６の作動杆４７が矢印方向に伸長し、係合作動片４８はストッパ５４に当接している。また、ロック片５５は、図８の実線で示す位置、すなわち、フックレバー１６の回転軌跡上にある。
【００４５】
したがって、自動式錠手段４５のロック片５５は、フックレバー１６の傾倒回転を阻止し得る関係にある。一方、不正解錠防止機構Ｙの跳ね上がり係止片６０は、支持バネ６２の支持端部６２ａに支持された状態で水平状態或いは多少傾斜状態になっており、そのフック状係合部６０ａは、自動式錠手段４５の係合作動片４８から離れている。
【００４６】
これに対して、図１１はハンドル掛け金装置の解錠時の状態を示す。この場合には、駆動源４６の作動杆４７が矢印方向に収縮し、係合作動片４８はストッパ５４から離れる。
【００４７】
また、ロック片５５は、図８の仮想線で示す位置、すなわち、ロック片５５はフックレバー１６の回転軌跡上から外れているので、フックレバー１６を倒すことが可能となる。このように自動式錠手段４５の駆動源４６の駆動力により、作動杆４７が伸縮すると、係合作動片４８及び可動横軸４９を介してロック片５５はフックレバー１６を施・解錠する。
【００４８】
上記のような施・解錠態様に於いて、施錠時に、泥棒が取付け本体３又は／及びフックレバー１６の上端部を、図示しない道具で叩き付けたと仮定する。この時、当然のことながら、取付け本体３に上下方向に「ドーン」というような振動が発生する。この時、取付け本体３の上下方向の衝撃（振動）により、前述したように駆動源の作動杆４７が収縮しようとするが、該作動杆４７が収縮する寸前、それよりも先に跳ね上がり係止片６０が固定軸６１を支点に係合方向へと回転する。その結果、そのフック状係合部６０ａは、自動式錠手段４５の係合作動片４８に係合する（図１２参照）。
【００４９】
その理由は、係合作動片４８には他の部材（駆動源の作動杆４７、バネ部材５３、横軸４９など）の抵抗が働く反面、跳ね上がり係止片６０は踏み台的機能を有する支持バネ６２に支持されており、また、「はずませる」補助機能を有する錘６３が自由端部に設けられているからである。
【００５０】
したがって、泥棒が自動式錠手段４５を備えているハンドル掛け金装置Ｘをハンマーなどで叩き付けても、自動式錠手段のフックレバー１６と係脱するロック片５５が容易に解錠状態にならない。
【実施例】
【００５１】
第１実施利に於いて、支持バネ６２は、跳ね上がり係止片６０を所定の係合解除の位置に支持する機能を有すれば良いから、必ずしも固定軸６１に設ける必要はない。例えば支持バネ６２の一例としての板バネの一端部を取付け板４０に適宜固定し、その自由端部６２ａで跳ね上がり係止片６０を支持しても良い。
【００５２】
次に、この欄では本発明の第２の実施例について説明する。なお、第２実施例は前記第１実施例と発明の目的が同一なので、同一の部分には同一符号を付して重複する説明を省略する。
【００５３】
図１３乃至図１６に示す第２実施例は、「取付け板４０に、施錠時に取付け本体３又は／及びフックレバー１６を叩き付けた時の衝撃によって前記自動式錠手段４５の係合作動片４８が解錠方向へと移動しないように前記ロック片５５の小被係合部（例えば小さな凹所）６５と係合する小係合部（例えば小さな突起）６６をフックレバー１６に設けたこと」を特徴とする。
【００５４】
図１４を参照にすると、前記小被係合部６５は、フックレバー１６の支持部２０の内壁面に設けているので、これに対応して前記小係合部６６をロック片５５の先端部に設けている。ロック片５５は、前述したように可動横軸４９と共に回転するが、図１５で示すように、施錠時には、ロック片５５はフックレバー１６の支持部２０に対面するので、ロック片５５の小さな凹所６５とフックレバー１６の小さな突起とは係合する。
【００５５】
しかして、泥棒が自動式錠手段４５を備えているハンドル掛け金装置Ｘをハンマーなどで叩き付けても、ロック片５５とフックレバー１６は、単なる対面関係ではなく、一定の限界を超えない限り、両者の係合が解消しないような係合関係にあるから、衝撃力によってソレノイドの鉄心が上方に跳ね上がり、作動杆が解錠方向（例えば収縮方向）に移動しようとしても、作動杆４８が解錠方向へ容易に移動しない。
【００５６】
本実施例に於いて、小被係合部６５と小係合部６６の係合関係にした理由は、施錠時、取付け本体３の殴打による振動程度ではロック片５５は回転せず、一方、手動式錠手段１１又は自動式錠手段４５からの解錠方向への力が係合作動片４８に積極的に作用した場合に於いて、ロック片５５の係合力がある限界を超えると、該ロック片５５の小さな凹所６５がフックレバー１６の小さな突起６６から外れ、ロック片５５は図１６で示す仮想線の位置（解錠位置）へと回転する。
【００５７】
なお、前記小被係合部６５と小係合部６６の係合関係は逆であっても良いし、また小被係合部６５と小係合部６６は複数個であっても良い。
【産業上の利用可能性】
【００５８】
本発明は、主にバン型の車輌の後部や側部の開閉扉に取付けられる。
【図面の簡単な説明】
【００５９】
図１乃至図１２は本発明の最良の実施例を示す各説明図。図１３及び図１６は本発明の第２実施例を示す各説明図。
【図１】開閉扉の外壁面に取付ける場合の正面からの説明図。
【図２】平面からの説明図。
【図３】右側面からの説明図。
【図４】ハンドル掛け金装置の取付け本体から取付け板を外した状態の説明図。
【図５】ハンドル掛け金装置の取付け本体側の構成を示す分解斜視図。
【図６】取付け本体の収納部側から見た概略説明図（フックレバーを閉じた時）。
【図７】ハンドル掛け金装置の施錠時に於いて、主要部の各部材の位置関係を示す概略説明図。
【図８】取付け板の内面側から見た概略説明図。
【図９】フックレバーと自動式錠手段のロック片との関係を示す概略説明図。
【図１０】自動式錠手段の主要部（ロック片、可動横軸、係合作動片等）を示す説明図。
【図１１】ハンドル掛け金装置の解錠時に於いて、主要部の各部材の位置関係を示す概略説明図。
【図１２】取付け本体に上下方向の振動が発生した時に於いて、跳ね上がり係止片が係合作動片に係合した状態の概略説明図。
【図１３】第２実施例の図４と同様の図。
【図１４】図９と同様の図。
【図１５】主要部の斜視図。
【図１６】作用の説明図。
【符号の説明】
【００６０】
Ｘ…扉開閉用ハンドル掛け金装置、1…開閉扉、２…操作ハンドル、３…取付け本体、４…取付けベース部、６…開口部、７…隆起支持部、８…切欠部、９…収納部、１０…係止部、１１…手動式錠手段、１５…枢軸、１６…フックレバー、１７…軸受け部、２０…支持部、２２…当接部、２３…突起部、２４…水平軸孔、２６…ハンドルクリック機構、２７…上部支持球、２８…下部支持球、２９…係合腕、３０…バネ保持筒、３１…支持板、３２…下壁部、３４…ストッパ部、３８、５０、５６…固着具、４０…取付け板、４１…開口、４２…支持片、４５…自動式錠手段、４６…駆動源、４７…作動杆、４８…係合作動片、４９…横軸、５３…駆動源用バネ部材、５５…ロック片、Ｙ…不正解錠防止機構、６０…跳ね上がり係止片、６０ａ…係合部、６１…固定軸、６２…支持バネ、６２ａ…支持端部、６３…錘。
【図１】
2005068896.tif 000003
【図２】
2005068896.tif 000004
【図３】
2005068896.tif 000005
【図４】
2005068896.tif 000006
【図５】
2005068896.tif 000007
【図６】
2005068896.tif 000008
【図７】
2005068896.tif 000009
【図８】
2005068896.tif 000010
【図９】
2005068896.tif 000011
【図１０】
2005068896.tif 000012
【図１１】
2005068896.tif 000013
【図１２】
2005068896.tif 000014
【図１３】
2005068896.tif 000015
【図１４】
2005068896.tif 000016
【図１５】
2005068896.tif 000017
【図１６】
2005068896.tif 000018